Podtech/llm-jp-corpus-v4-ja_patent huggingface dataset:
【手続補正書】
【提出日】平成19年5月11日(2007.5.11)
【手続補正１】
【補正対象書類名】明細書
【補正対象項目名】特許請求の範囲
【補正方法】変更
【補正の内容】
【特許請求の範囲】
【請求項１】
遊技機の制御に関連性をもたせた回路を内包するように封止体にて封止し、封止体には前記回路に接続される導電体の内端側を内包する一方、該導電体の外端側を封止体から露出させ、該導電体の外端側を基板側に接続してなる遊技機において、
前記封止体はその外形が表裏両面を他の面と比較して広域面とした肉薄平板状に形成されており、前記封止体は基板側へ接続したままでその表裏両面を視認し得る状態に配置したことを特徴とする遊技機。
【請求項２】
遊技機の制御に関連性をもたせた回路を内包するように封止体にて封止し、封止体には前記回路に接続される導電体の内端側を内包する一方、該導電体の外端側を封止体から露出させ、該導電体の外端側を基板側に接続してなる遊技機において、
前記封止体はその外形が表裏両面を他の面と比較して広域面とした肉薄平板状に形成されており、前記導電体の外端側を封止体の一側面のみから露出させ、該導電体の外端側を基板側に接続した状態では、前記封止体の表裏両面が基板に対し立ち上がった状態に実装されていることを特徴とする遊技機。
【請求項３】
遊技機の制御に関連性をもたせた回路を内包するように封止体にて封止し、封止体には前記回路に接続される導電体の内端側を内包する一方、該導電体の外端側を封止体から露出させ、該導電体の外端側を基板側に接続してなる遊技機において、
前記封止体はその外形が表裏両面を他の面と比較して広域面とした肉薄平板状に形成されており、前記封止体の表裏両面が前記基板の実装面に対し略垂直状態となるように配置したことを特徴とする遊技機。
【請求項４】
前記基板は遊技機の上下に延びるように配置され、封止体の表裏両面は遊技機の側方に指向されるように配置されていることを特徴とする請求項１乃至３のいずれかに記載の遊技機。
【請求項５】
前記回路はＩＣチップであるとともに、前記導電体はリードであって、
前記封止体、ＩＣチップ及びリードによってＩＣパッケージが構成されており、
当該ＩＣパッケージはＺＩＰタイプであるとともに、当該ＩＣパッケージのリード間ピッチを１．００ｍｍ以下としたことを特徴とする請求項１乃至４のいずれかに記載の遊技機。
【手続補正書】
【提出日】平成19年3月26日(2007.3.26)
【手続補正１】
【補正対象書類名】明細書
【補正対象項目名】請求項２
【補正方法】変更
【補正の内容】
【請求項２】  溶加ワイヤを第１給電チップと第２給電チップとに接触させて送給して前記第１給電チップと前記第２給電チップとの間に電力を供給して溶加ワイヤを加熱するホットワイヤＴＩＧアーク溶接方法において、前記第２給電チップの溶加ワイヤ送入端を前記第１給電チップの中心軸に対して平行方向に給電チップ端偏心距離だけ偏移させたホットワイヤＴＩＧアーク溶接方法。
【手続補正２】
【補正対象書類名】明細書
【補正対象項目名】０００６
【補正方法】変更
【補正の内容】
【０００６】
出願時の請求項２に記載の発明は、
溶加ワイヤ７を第１給電チップ８と第２給電チップ９とに接触させて送給して第１給電チップ８と第２給電チップ９との間に電力を供給して溶加ワイヤを加熱するホットワイヤＴＩＧアーク溶接方法において、
第２給電チップ９の溶加ワイヤ送入端９ａを第１給電チップ８の中心軸に対して平行方向に給電チップ端偏心距離ｄだけ偏移させたホットワイヤＴＩＧアーク溶接方法である。
【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
装置本体にはＸＹテーブルと加工部と釘供給装置と釘有無検出部およびロックアップ装置が設けられ、加工部にはカム機構とホルダおよびハンマが設けられ、カム機構はモータで回動されるカム主軸にホルダ上下カムとホルダ前後カムおよびハンマ上下カムを備え、遊技盤がＸＹテーブルの上に搭載され、ＸＹテーブルが釘打ち位置の座標データに基づいて位置決めされ、ホルダが釘供給装置から供給された釘を支持していないことを釘有無検出部が検出すると、ホルダが釘打ち部においてホルダ上下カムで下降するもののホルダ前後カムで前進しないようにロックアップ装置が動作することを特徴とする遊技盤の自動釘打ち装置。
【手続補正２】
【補正対象書類名】明細書
【補正対象項目名】０００６
【補正方法】変更
【補正の内容】
【０００６】
本発明に係る遊技盤の自動釘打ち装置は、装置本体にはＸＹテーブルと加工部と釘供給装置と釘有無検出部およびロックアップ装置が設けられ、加工部にはカム機構とホルダおよびハンマが設けられ、カム機構はモータで回動されるカム主軸にホルダ上下カムとホルダ前後カムおよびハンマ上下カムを備え、遊技盤がＸＹテーブルの上に搭載され、ＸＹテーブルが釘打ち位置の座標データに基づいて位置決めされ、ホルダが釘供給装置から供給された釘を支持していないことを釘有無検出部が検出すると、ホルダが釘打ち部においてホルダ上下カムで下降するもののホルダ前後カムで前進しないようにロックアップ装置が動作することを最も主要な特徴とする。
【手続補正３】
【補正対象書類名】明細書
【補正対象項目名】０００７
【補正方法】変更
【補正の内容】
【０００７】
本発明に係る遊技盤の自動釘打ち装置は、ホルダが釘供給装置から供給された釘を支持していないことを釘有無検出部が検出すると、ホルダが釘打ち部においてホルダ上下カムで下降するもののホルダ前後カムで前進しないようにロックアップ装置が動作するので、ハンマによる釘の空打ち動作を防止することができるという利点がある。
【手続補正４】
【補正対象書類名】明細書
【補正対象項目名】００２４
【補正方法】変更
【補正の内容】
【００２４】
釘分離送り部８２には、図６、図７及び図１１に示すように釘搬送部８０の下に直交する方向に配設された摺動案内部材９４上を摺動自在に動く摺動子材９６が釘搬送部８０の両横にそれぞれ所定間隔を開けて配置され、これらが一体的に動くよう連結されている。各摺動子材９６にはそれぞれ支板９８が立設され、各支板９８の所定位置には、それぞれ分離用支杆１００、１０２の先端部が開口８８内に出入可能に臨むように突設されている。これらの分離用支杆１００、１０２は、釘８６の１本分より若干大きい間隔を開けて平行となるように配置されている。そして、一対の摺動子材９６が摺動案内部材９４上の２つの所定位置の間を１回往復動することにより、釘搬送部８０の斜向部８１上にある釘８６が２本の分離用支杆１００、１０２の間に入り、さらにこの釘８６がこの間から釘搬送部８０の先端側へ１本分離して送出される。このようにして釘８６を１本ずつ分離して送り出す。
【手続補正５】
【補正対象書類名】明細書
【補正対象項目名】００６４
【補正方法】変更
【補正の内容】
【００６４】
このようにホルダ５４を移動操作することによって、ホルダ５４に保持された釘８６を所定の打ち付け位置に位置決めでき、しかもすでに打ち付けられた釘８６の近傍に隣接して位置決めできる。さらに、この釘８６を打ち付け位置に位置決めして保持した状態では、遊技盤２８の表面に圧接した弾性押え部材２０２が密着したときの摩擦力で、遊技盤２８とホルダ５４との位置がずれないように確実に支持できる。
【手続補正６】
【補正対象書類名】明細書
【補正対象項目名】００６８
【補正方法】変更
【補正の内容】
【００６８】
さらに、操作部材２８０がローラ部材７６に作用して、保持溝部７０を開かせ釘８６を解放している間に、ホルダ５４は、ホルダ上下カム１０４、及びホルダ前後カム１０６の作用で、前述の図２０に示す動作と略逆の動作で図１４に示す当初位置に復帰する。また、ホルダ５４が打ち込まれた釘８６から離れた段階で、ハンマ２７２と操作部材２８０は、ハンマ上下カム１０８の作用で、図１４に示す遊技盤２８に打ち付けられた釘８６の頭より高い盤面より２０ミリメートルの高さの当初位置に復帰する。
【手続補正７】
【補正対象書類名】明細書
【補正対象項目名】００６９
【補正方法】変更
【補正の内容】
【００６９】
次に、前述の釘有無検出部５８で両ホルダ５４の少なくとも１方に釘８６が保持されていないことが検出されたときには、釘打ち回避動作が行われる。この回避動作は、ロックアップ装置２８８により、従動部材２５４をロックアップし、進退操作部材２４８に前進動作を行わせないことにより実行される。この場合には、ホルダ５４はホルダ上下カム１０４の作用で昇降動作だけを行うことになる。よって、ホルダ５４が前進されずホルダ５４に釘が保持されていてもハンマ２７２の直下に行かないのでハンマ２７２、及び操作部材２８０の昇降動作は空振りになる。このため２つのホルダ５４のうち、釘８６が保持されていたホルダ５４は釘８６を保持した状態で図１４に示す当初位置に復帰する。
【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
被検体に光を照射し、前記被検体内を伝播した光を受光し、前記被検体内の代謝物質の濃度変化を計測する生体光計測装置に使用される計測方法であって、
前記被検体上に二以上の光照射器と二以上の受光器からなる第一および第二のセンサーアレーを複数配置する第一のステップと、
前記第一および第二のセンサーアレーにより計測された前記代謝物質の濃度変化の極大位置を算出する第二のステップと、
前記極大位置が前記第一のセンサーアレーのサンプリング点と、前記第二のセンサーアレーのサンプリング点のどちらにより近いかを算出する第三のステップと、
前記第三のステップで前記極大位置により近いと算出されたサンプリング点を持つ前記第一または第二のセンサーアレーを用いて前記代謝物質の濃度変化を計測する第四のステップとを有することを特徴とする生体光計測方法。
【請求項２】
前記第一および第二のセンサーアレーは、格子状に交互に配置された複数の前記光照射器と複数の前記受光器を有することを特徴とする請求項１記載の生体光計測方法。
【請求項３】
前記第一のセンサーアレーは、前記第二のセンサーアレーのサンプリング点上に前記第一のセンサーアレーの照射器または受光器が配置されるように、配置されていることを特徴とする請求項２に記載の生体光計測方法。
【請求項４】
前記第一のセンサーアレーまたは、前記第二のセンサーアレーまたは、前記第一および第二のセンサーアレーの両方、のいずれかを用いて前記代謝物質の濃度変化を計測するかを選択するステップを有することを特徴とする請求項１記載の生体光計測方法。
【請求項５】
前記第四のステップにより得られた前記代謝物質の濃度変化から、前記代謝物質の濃度変化の分布を画像化する第五のステップを有することを特徴とする請求項１から４のいずれか一に記載の生体光計測方法。
【請求項６】
被検体に光を照射する光照射器と、
前記被検体内を伝播した光を受光する受光器と、
複数の前記光照射器および複数の前記受光器からなる第一および第二のセンサーアレーと、
前記受光器で検出された光から前記被検体内の代謝物質の濃度変化を演算する演算手段とを有し、
前記演算手段は、
前記第一および第二のセンサーアレーにより計測された前記代謝物質の濃度変化の極大位置を算出し、
前記極大位置が前記第一のセンサーアレーのサンプリング点と、前記第二のセンサーアレーのサンプリング点のどちらにより近いかを算出し、
前記極大位置により近いと算出されたサンプリング点を持つ前記第一または第二のセンサーアレーを用いて前記代謝物質の濃度変化を算出することを特徴とする生体光計測装置。
【請求項７】
前記第一および第二のセンサーアレーは、格子状に交互に配置された複数の前記光照射器と複数の前記受光器を有することを特徴とする請求項６記載の生体光計測装置。
【請求項８】
前記光照射器と前記受光器はそれぞれほぼ等距離に配置されていることを特徴とする請求項６記載の生体光計測装置。
【請求項９】
前記代謝物質の濃度変化の分布を画像化する画像表示手段を有することを特徴とする請求項６から８のいずれか一に記載の生体光計測装置。
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
ゲームサーバにネットワークを介して複数のクライアントが接続されてなるオンラインゲームシステムにおいて、
上記複数のクライアントのうちサーバが検査対象とするクライアントを選定し、選定されたクライアントからゲームの実行状態を示すプレイログを取得するプレイログ取得工程と、
取得した上記プレイログに基づきゲームの実行を再現するプレイログ検証工程と、
上記プレイログの結果値と上記プレイログ検証工程の結果値とを比較して不一致があった場合に不正行為が存在するものと判定する判定工程とを備えたことを特徴とするオンラインゲーム不正検出方法。
【請求項２】
上記プレイログ検証工程をゲームサーバ内で行うことを特徴とする請求項１に記載のオンラインゲーム不正検出方法。
【請求項３】
上記プレイログ検証工程をゲームサーバとは別に設けたリファレンシャルマシンで行うことを特徴とする請求項１に記載のオンラインゲーム不正検出方法。
【請求項４】
上記プレイログ検証工程を検証対象以外の上記クライアント内で行うことを特徴とする請求項１に記載のオンラインゲーム不正検出方法。
【請求項５】
上記プレイログは、
プレイログ取得開始時のゲームの状態を示す初期データと、
プレイログ取得期間内のプレイヤの操作内容を示すアクションデータと、
プレイログ取得終了時のゲームの状態を示す結果データとを含むことを特徴とする請求項１乃至４のいずれか一項に記載のオンラインゲーム不正検出方法。
【請求項６】
ゲームサーバにネットワークを介して複数のクライアントが接続されてなるオンラインゲームシステムにおいて、
上記複数のクライアントのうちサーバが検査対象とするクライアントを選定し、選定されたクライアントからゲームの実行状態を示すプレイログを取得するプレイログ取得手段と、
取得した上記プレイログに基づきゲームの実行を再現するプレイログ検証手段と、
上記プレイログの結果値と上記プレイログ検証手段の結果値とを比較して不一致があった場合に不正行為が存在するものと判定する判定手段とを備えたことを特徴とするオンラインゲームシステム。
【手続補正２】
【補正対象書類名】明細書
【補正対象項目名】００１８
【補正方法】変更
【補正の内容】
【００１８】
上記の課題を解決するため、本発明にあっては、請求項１に記載されるように、ゲームサーバにネットワークを介して複数のクライアントが接続されてなるオンラインゲームシステムにおいて、上記複数のクライアントのうちサーバが検査対象とするクライアントを選定し、選定されたクライアントからゲームの実行状態を示すプレイログを取得するプレイログ取得工程と、取得した上記プレイログに基づきゲームの実行を再現するプレイログ検証工程と、上記プレイログの結果値と上記プレイログ検証工程の結果値とを比較して不一致があった場合に不正行為が存在するものと判定する判定工程とを備えるようにしている。
【手続補正３】
【補正対象書類名】明細書
【補正対象項目名】００２２
【補正方法】変更
【補正の内容】
【００２２】
また、請求項５に記載されるように、上記プレイログは、プレイログ取得開始時のゲームの状態を示す初期データと、プレイログ取得期間内のプレイヤの操作内容を示すアクションデータと、プレイログ取得終了時のゲームの状態を示す結果データとを含むものとすることができる。
また、請求項６に記載されるように、ゲームサーバにネットワークを介して複数のクライアントが接続されてなるオンラインゲームシステムにおいて、上記複数のクライアントのうちサーバが検査対象とするクライアントを選定し、選定されたクライアントからゲームの実行状態を示すプレイログを取得するプレイログ取得手段と、取得した上記プレイログに基づきゲームの実行を再現するプレイログ検証手段と、上記プレイログの結果値と上記プレイログ検証手段の結果値とを比較して不一致があった場合に不正行為が存在するものと判定する判定手段とを備えるオンラインゲームシステムとして構成することができる。
【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
被検体搭載用寝台と、
寝台の挿入開口を持つガントリと、
この挿入開口の上下左右に設けた接触探知手段と、
接触探知手段の検出出力に応じてガントリ又は寝台の動作を制御する制御手段と、
を備えるＸ線ＣＴ装置。
【請求項２】
請求項１のＸ線ＣＴ装置において、前記動作が、ガントリと寝台との接触回避動作又は動作停止、動作続行のいずれかであることを特徴とするＸ線ＣＴ装置。
【請求項３】
被検体搭載用寝台と、
寝台の挿入開口を持つガントリと、
ガントリの傾斜駆動を操作指示するための第１の手動スイッチと、
寝台の前進・後退・上下動を操作指示するための第２の手動スイッチと、
その挿入開口の上下左右に取り付けられたタッチセンサと、
上記第１の手動スイッチの指示に従ってガントリの傾斜の駆動を行う第１の駆動手段と、
上記第２の手動スイッチの指示に従って寝台の前進・後退及び上下動の駆動を行う第２の駆動手段と、
ガントリに搭載したＸ線源とそれに対向して配置されたＸ線検出器と、を含むＸ線計測系と、
上下左右のタッチセンサの検出信号、ガントリの傾斜を示す信号、寝台の位置及び高さを示す信号とを取り込む制御手段と、を備え、
上記制御手段は、
上下のタッチセンサの検出信号から上下のタッチがあると判断したときに、そのタッチ状態が回避できるような、第１の駆動手段によるガントリの傾斜制御、又は第２の駆動手段による寝台の上下動又は前進・後退の制御を行わせる手段を有するものとしたＸ線ＣＴ装置。
【請求項４】
被検体搭載用寝台と、
ガントリの傾斜駆動を操作指示するための第１の手動スイッチと、
寝台の前進・後退・上下動を操作指示するための第２の手動スイッチと、
寝台上の被検体挿入開口を持つガントリと、
その挿入開口の上下左右に取り付けられたタッチセンサと、
上記第１の手動スイッチの指示に従ってガントリの傾斜の駆動を行う第１の駆動手段と、
上記第２の手動スイッチの指示に従って寝台の前進・後退及び上下動の駆動を行う第２の駆動手段と、
ガントリに搭載したＸ線源とそれに対向して配置されたＸ線検出器と、を含むＸ線計測系と、
上下左右のタッチセンサの検出信号、ガントリの傾斜を示す信号、寝台の位置及び高さを示す信号とを取り込む制御手段と、を備え、
上記制御手段は、上下のタッチセンサ、及び左右のタッチセンサの検出信号から上下又は左右のタッチがあると判断したときに、上下のタッチと左右のタッチとで異なる回避動作を行うように第１、第２の駆動手段を制御する手段を有するものとしたＸ線ＣＴ装置。
【請求項５】
被検体搭載用寝台と、
寝台上の被検体挿入開口を持つガントリと、
ガントリの傾斜駆動を操作指示するための第１の手動スイッチと、
寝台の前進・後退・上下動を操作指示するための第２の手動スイッチと、
その挿入開口の上下左右に取り付けられたタッチセンサと、
上記第１の手動スイッチの指示に従ってガントリの傾斜の駆動を行う第１の駆動手段と、
上記第２の手動スイッチの指示に従って寝台の前進・後退及び上下動の駆動を行う第２の駆動手段と、
ガントリに搭載したＸ線源とそれに対向して配置されたＸ線検出器と、を含むＸ線計測系と、
上下左右のタッチセンサの検出信号、ガントリの傾斜を示す信号、寝台の位置及び高さを示す信号とを取り込む制御手段と、を備え、
上記制御手段は、上下のタッチセンサ、及び左右のタッチセンサの検出信号から上下又は左右のタッチがあると判断したときに、上下のタッチであればタッチ回避するように第１又は第２の駆動手段の制御を行うと共に計測中であれば計測中断の制御を行い、左右のタッチであれば、電源断又は計測中断の制御を行う手段を有するものとしたＸ線ＣＴ装置。
【請求項６】
上記制御手段は、上記タッチセンサの検出信号を含む条件とそれに対応する回避動作との関係を示すデータテーブルを具えるものとした請求項１〜５のいずれかのＸ線ＣＴ装置。
【手続補正２】
【補正対象書類名】明細書
【補正対象項目名】０００４
【補正方法】変更
【補正の内容】
【０００４】
本発明は、被検体搭載用寝台と、
寝台の挿入開口を持つガントリと、
この挿入開口の上下左右に設けた接触探知手段と、
接触探知手段の検出出力に応じてガントリ又は寝台の動作を制御する制御手段と、
を備えるＸ線ＣＴ装置を開示する。  
更に本発明は、Ｘ線ＣＴ装置において、前記動作が、ガントリと寝台との接触回避動作又は動作停止、動作続行のいずれかであることを特徴とするＸ線ＣＴ装置を開示する。
更に本発明は、被検体搭載用寝台と、
寝台の挿入開口を持つガントリと、
ガントリの傾斜駆動を操作指示するための第１の手動スイッチと、
寝台の前進・後退・上下動を操作指示するための第２の手動スイッチと、
その挿入開口の上下左右に取り付けられたタッチセンサと、
上記第１の手動スイッチの指示に従ってガントリの傾斜の駆動を行う第１の駆動手段と、
上記第２の手動スイッチの指示に従って寝台の前進・後退及び上下動の駆動を行う第２の駆動手段と、
ガントリに搭載したＸ線源とそれに対向して配置されたＸ線検出器と、を含むＸ線計測系と、
上下左右のタッチセンサの検出信号、ガントリの傾斜を示す信号、寝台の位置及び高さを示す信号とを取り込む制御手段と、を備え、
上記制御手段は、
上下のタッチセンサの検出信号から上下のタッチがあると判断したときに、そのタッチ状態が回避できるような、第１の駆動手段によるガントリの傾斜制御、又は第２の駆動手段による寝台の上下動又は前進・後退の制御を行わせる手段を有するものとしたＸ線ＣＴ装置を開示する。
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
第１絵柄を変動表示する第１絵柄表示装置と、
遊技球飛翔領域に設けられた遊技球入球口と、
前記遊技球入球口への入球を契機として当たりか外れかの抽選を行い、その抽選結果に応じた前記第１絵柄の変動表示を指令する一方、同抽選結果が当たりの場合に当たり遊技状態に移行させる当たり遊技制御手段と、
前記当たり遊技状態下の所定期間内に可変入球装置を開放する可変入球装置制御手段と、
前記当たり遊技状態下における前記可変入球装置等への入球を検出し、所定数の遊技球を払い出す遊技球払出手段と
を備えた遊技機において、
前記可変入球装置制御手段による前記可変入球装置の開放制御の終了後に、前記遊技球払出手段による遊技球の払出が完了したことを検出する払出完了検出手段と、
前記払出完了検出手段の検出結果に基づき、前記当たり遊技状態を終了させると共に当たり遊技状態以外の通常遊技状態に移行させる当たり遊技終了手段と
を備えたことを特徴とする遊技機。
【請求項２】
前記可変入球装置制御手段による前記可変入球装置の開放制御が終了してから前記当たり遊技状態が終了するまでのエンディング表示期間にエンディング表示を行うよう前記第１絵柄表示装置を表示制御する表示制御手段を備え、前記当たり遊技終了手段は、前記払出完了検出手段の検出結果に基づき、前記エンディング表示期間を変化させることを特徴とする請求項１に記載の遊技機。
【請求項３】
前記可変入球装置制御手段による前記可変入球装置の開放制御が終了した直後の所定期間を標準エンディング期間とし、前記当たり遊技終了手段は、前記払出完了検出手段が前記標準エンディング期間に遊技球の払出完了を検出した場合、前記標準エンディング期間の終了タイミングで前記当たり遊技状態を終了させると共に前記通常遊技状態に移行させることを特徴とする請求項２に記載の遊技機。
【請求項４】
前記表示制御手段は、前記標準エンディング期間内に、予め設定されたエンディング表示を行うよう前記第１絵柄表示装置を表示制御することを特徴とする請求項３に記載の遊技機。
【請求項５】
前記当たり遊技終了手段は、前記払出完了検出手段が前記標準エンディング期間に遊技球の払出完了を検出しなかった場合、前記標準エンディング期間の終了タイミングから前記払出完了検出手段が遊技球の払出完了を検出するタイミングまで前記エンディング表示期間を延長することを特徴とする請求項３又は４に記載の遊技機。
【請求項６】
前記表示制御手段は、前記標準エンディング期間内に予め設定されたエンディング表示を行うよう前記第１絵柄表示装置を表示制御し、前記エンディング表示期間が延長された場合、前記予め設定されたエンディング表示の一部を前記遊技球の払出が完了するまで継続表示するよう前記第１絵柄表示装置を表示制御することを特徴とする請求項５に記載の遊技機。
【手続補正書】
【提出日】平成19年6月7日(2007.6.7)
【手続補正１】
【補正対象書類名】明細書
【補正対象項目名】００２０
【補正方法】変更
【補正の内容】
【００２０】
図２によく表われているように、メダルゲームフィールドＭＦには、メダルゲーム盤２とプッシャゲーム機構３とが具備されている。メダルゲーム盤２は、略鉛直状に起立しており、透明な前面カバー２０Ａと、その背後に位置する起立壁２０Ｂとの間にメダルｍを通過させるための空間部２１が形成された構造を有している。この空間部２１の上部には、メダル進入口２１ａが設けられており、図１に示した操作パネル部１３の上記発射用スイッチが操作されると、メダル発射装置（図示略）が作動してスイッチ操作に対応した枚数のメダルｍが供給され、このメダル進入口２１ａから空間部２１に投入されるようになっている。空間部２１には、メダル進入口２１ａの直下において常時揺動していることにより、空間部２１内に投入されたメダルｍを空間部２１内の左右方向などに大きく振り分け移動させるための揺動部材（図示略）や、この揺動部材によって振り分けられたメダルｍの落下移動を不規則に行なわせるための複数本の釘や複数のガイドなどが設けられている。また、複数の入賞口２２も設けられており、これらの入賞口２２にメダルｍが入ると、後述する電子ゲームが行なわれる。
【手続補正２】
【補正対象書類名】明細書
【補正対象項目名】００３０
【補正方法】変更
【補正の内容】
【００３０】
ボール投入装置４は、所望のボール転動ブロック６上にボールＢを落下させるべく複数のガイド筒４３のいずれかに対してボールＢを選択的に投入するための装置であり、ボールリフタ４０およびガイドレール４２を備えている。ボールリフタ４０は、図６に示すように、回転板５の中心部を貫通して鉛直状に起立した筒状体４００を備えており、この筒状体４００の内部に、複数のボールＢを上昇させるためのコンベア４０１が設けられた構成を有している。コンベア４０１は、上下のプーリ４０２，４０３に掛け廻されたベルト４０４またはその他の線状部材にボール支持用の複数のアタッチメント４０５が一定ピッチで取り付けられた構成を有しており、筒状体４００の下部のボール供給口４０７に供給されるボールＢをアタッチメント４０５により掬い上げて、筒状体４００の上部の開口部４０６の高さまで上昇させることができるようになっている。ボールＢが開口部４０６の高さまで上昇すると、このボールＢは、筒状体４００の外部に排出されてから、このボールリフタ４０の上部を覆うように設けられたカバー体４４内のガイド板４４ａ上に転出し、カバー体４４の排出口４４ｂからガイドレール４２上に移動するようになっている。ボールリフタ４０は、図３に示すボール投入用モータＭ５により駆動されており、たとえば画像表示装置２３を利用して実行される電子ゲームにおいて、所定の「当たり」となると、ボールＢを１つだけ開口部４０６から排出する動作を行なうように、制御部Ｃによって制御されている。
【手続補正３】
【補正対象書類名】明細書
【補正対象項目名】００３３
【補正方法】変更
【補正の内容】
【００３３】
なお、本発明においては、たとえば図９に示すように、ガイドレール４２が、直状部４２０、円形リング部４２１、および複数の排出レール部４２２を備え、かつ円形リング部４２１に沿ってボール落下ガイド用の複数のフリッパ９０が設けられた構成とすることもできる。この構成においては、カバー体４４の排出口４４ｂから排出されたボールＢは、ガイドレール４２の直状部４２０を介して円形リング部４２１上にガイドされ、この円形リング部４２１上を周回する。このような状況において、たとえば符号ｎ２で示すように、フリッパ９０を円形リング部４２１寄りに動作させると、これによってボールＢの移動方向が切り替えられて、ボールＢはその近傍の排出レール部４２２から所定のガイド筒４３上に投入される。このような構成によれば、複数のフリッパ９０の動作により、ボールＢを複数のガイド筒４３のいずれに投入するかを簡単に選択することが可能となり、ガイドレール４２などを回転させる必要は無い。
【手続補正４】
【補正対象書類名】図面
【補正対象項目名】図６
【補正方法】変更
【補正の内容】
【図６】
2006006498.tif 000001
【手続補正書】
【提出日】平成19年6月8日(2007.6.8)
【手続補正１】
【補正対象書類名】明細書
【補正対象項目名】００２５
【補正方法】変更
【補正の内容】
【００２５】
次に、上記のように構成された実施形態の内視鏡システムの作用について説明する。実施形態の内視鏡システムは、白色光を連続的に照射して撮影した通常(カラー)画像を動画として表示する通常画像表示モード、励起光を連続的に照射して撮影した蛍光画像を動画として表示する蛍光画像表示モード、白色光と励起光とを交互に照射して得られた通常画像と蛍光画像とを同時に動画として表示する同時表示モードを動画モードとして備えている。蛍光観察内視鏡１０の操作部１０ｂに設けられた蛍光モードスイッチ７３がオフの間は、通常画像表示モードに設定される。蛍光モードスイッチ７３がオンされると、蛍光画像表示モード、若しくは、同時表示モードのいずれかに設定される。これらのいずれを選択するかは、スイッチパネル２３に備えられたスイッチにより予め設定しておくことができる。以下、各モードについて説明する。なお、各表示モードで静止画スイッチ７２を押すことにより、通常画像、蛍光画像の静止画を観察することができるが、静止画の表示についての詳細な説明は省略する。
【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
Ｘ線源と、それに対向配置されて被検体透過Ｘ線を検出するＸ線検出素子群と、Ｘ線検出素子群の検出信号をＡＤ変換するＡＤ変換器群と、Ｘ線検出器群及びＡＤ変換器群の制御を行うと共にＡＤ変換器群の出力データを取り込む制御部と、制御部からの出力データを取り込み画像処理する画像処理部とを備えると共に、上記Ｘ線源とＸ線検出素子群とＡＤ変換器群と制御部とが回転するガントリに取り付けられているＸ線ＣＴ装置であって、
ＡＤ変換器群と制御部とのデータ伝送経路を光伝送手段で構成したＸ線ＣＴ装置。
【請求項２】
上記制御部は、Ｘ線検出素子群の出力切替制御又はＡＤ変換器群の変換タイミング制御、光伝送手段へのＡＤ変換器群出力データの分配制御、を行うものとし、光伝送手段は、これらの制御信号の制御部からＸ線検出素子群又はＡＤ変換器群への送出用にも使用するものとした請求項１のＸ線ＣＴ装置。
【手続補正２】
【補正対象書類名】明細書
【補正対象項目名】０００８
【補正方法】変更
【補正の内容】
【０００８】
本発明は、Ｘ線源と、それに対向配置されて被検体透過Ｘ線を検出するＸ線検出素子群と、Ｘ線検出素子群の検出信号をＡＤ変換するＡＤ変換器群と、Ｘ線検出素子群及びＡＤ変換器群の制御を行うと共にＡＤ変換器群の出力データを取り込む制御部と、制御部からの出力データを取り込み画像処理する画像処理部とを備えると共に、上記Ｘ線源とＸ線検出素子群とＡＤ変換器群と制御部とが回転するガントリに取り付けられているＸ線ＣＴ装置であって、
ＡＤ変換器群と制御部とのデータ伝送経路を光伝送手段で構成したＸ線ＣＴ装置を開示する。
【手続補正３】
【補正対象書類名】明細書
【補正対象項目名】０００９
【補正方法】変更
【補正の内容】
【０００９】
更に本発明は、上記制御部は、Ｘ線検出素子群の出力切替制御又はＡＤ変換器群の変換タイミング制御、光伝送手段へのＡＤ変換器群出力データの分配制御、を行うものとし、光伝送手段は、これらの制御信号の制御部からＸ線検出素子群又はＡＤ変換器群への送出用にも使用するものとしたＸ線ＣＴ装置を開示する。
【手続補正書】
【提出日】平成19年5月11日(2007.5.11)
【手続補正１】
【補正対象書類名】明細書
【補正対象項目名】００４１
【補正方法】変更
【補正の内容】
【００４１】
第１フランジ部１２ｂ及び第２フランジ部１２ｃは、図１２に示すように、糸巻胴部１２ａの両端から軸方向外方に向けて徐々に拡径する第１傾斜部１２ｈ及び第２傾斜部１２ｊと、第１傾斜部１２ｈ及び第２傾斜部１２ｊの両端から軸方向外方に向けて同径になるように形成された第１円筒部１２ｉ及び第２円筒部１２ｋとを有している。第１円筒部１２ｉ及び第２円筒部１２ｋは、第１環状部１４ａ及び第２環状部１４ｂの内周に覆われており、両端部が凹溝部１４ｄ及び凹溝部６８ｆに挟み込まれる位置に配置されている。第１円筒部１２ｉ及び第２円筒部１２ｋの外周には、第１釣り糸進入防止部１２ｆ及び第２釣り糸進入防止部１２ｇが突出して設けられている。
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
個々の細菌または細胞が有する特異的運動能を指標とすることを特徴とする抗菌力試験方法。
【請求項２】
被験物質と接触させた後の細菌または細胞を観察し、観察した視野中に際だった運動能を示す細菌または細胞の存否を基準として感受性を判定することを特徴とする抗菌力試験方法。
【請求項３】
顕微鏡観察下において、１視野中に１個の存否を基準とすることを特徴とする請求項２に記載の抗菌力試験方法。
【請求項４】
細菌もしくは細胞と被験物質の接触時間が、８時間以下もしくは１２時間であることを特徴とする請求項２または３のいずれかに記載の抗菌力試験方法。      
【請求項５】
濃度が段階的に調整された被験物質の溶液と接触させることを特徴とする請求項２〜４のいずれかに記載の抗菌力試験方法。
【請求項６】
２以上の被験物質を用いて、感受性を対比することを特徴とする請求項５に記載の抗菌力試験方法。
【請求項７】
前記細菌もしくは細胞の運動能を、撮像装置およびコンピューターを備えた画像処理システムにより判定することを特徴とする請求項２〜６のいずれかに記載の抗菌力試験方法。
【請求項８】
前記細菌もしくは細胞は、鞭毛もしくは繊毛を有することを特徴とする請求項１〜７のいずれかに記載の抗菌力試験方法。
【請求項９】
前記細菌は、ヘリコバクター ピロリ（Helicobacter pylori）、ヘリコバクター フェリス（Helicobacter felis）、ヘリコバクター ヘイルマンニ（Helicobacter heilmannii）、ヘリコバクター ムステレ（Helicobacter mustelae）、ヘリコバクター カニス（Helicobacter canis）、ヘリコバクター ビリス（Helicobacter bilis）、ヘリコバクター ヘパチクス（Helicobacter hepaticus）、ヘリコバクター ムリダルム（Helicobacter muridarum）、及びヘリコバクター トログンタム（Helicobacter troguntum）のいずれかである請求項１〜８のいずれかに記載の抗菌力試験方法。
【手続補正２】
【補正対象書類名】明細書
【補正対象項目名】００１３
【補正方法】削除
【補正の内容】
【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
開口側が狭くかつ底面に凸条が設けられた突起形成用凹部を多数有する型に、靴底材料を充填して、付け根側が細くかつ先端に溝を有する突起を多数備えてなる靴底を成形することを特徴とする靴底の製造方法。
【請求項２】
突起形成用凹部は、その側面を接地面側型本体に設けた貫通孔で形成し、その底面を前記貫通孔に嵌入した入駒で形成したものであることを特徴とする請求項１記載の靴底の製造方法。
【請求項３】
入駒を前記貫通孔内を摺動させて突起形成用凹部の深さを変化させる機構が設けられていることを特徴とする請求項２記載の靴底の製造方法。
【手続補正２】
【補正対象書類名】明細書
【補正対象項目名】発明の名称
【補正方法】変更
【補正の内容】
【発明の名称】靴底の製造方法
【手続補正３】
【補正対象書類名】明細書
【補正対象項目名】０００５
【補正方法】変更
【補正の内容】
【０００５】
本発明の靴底の製造方法は、開口側が狭くかつ底面に凸条が設けられた突起形成用凹部を多数有する型に、靴底材料を充填して、付け根側が細くかつ先端に溝を有する突起を多数備えてなる靴底を成形する構成である。
【手続補正４】
【補正対象書類名】明細書
【補正対象項目名】０００７
【補正方法】変更
【補正の内容】
【０００７】
また、上記の靴底の製造方法において、入駒を前記貫通孔内を摺動させて突起形成用凹部の深さを変化させる機構が設けられている。
【手続補正書】
【提出日】平成19年6月22日(2007.6.22)
【手続補正１】
【補正対象書類名】明細書
【補正対象項目名】００２２
【補正方法】変更
【補正の内容】
【００２２】
図１において、ゲーム機100は機械式コイン識別ユニット1及びICコインの処理ユニット2を含んでいる。
図１，２に示すように、機械式コイン識別ユニット1は、コイン投入口3、コイン識別部4、正貨通路5、返却口6及び返却レバー7を有している。
すなわち、コインCをコイン投入口3に投入した場合、偽貨である大径及び小径のコインはコイン識別部4で機械的に直径が判別され、返却口6に戻される。
直径が正貨と判別されたコインCは、正貨通路5を通って金庫部(図示せず)に案内される。
【手続補正２】
【補正対象書類名】明細書
【補正対象項目名】００４９
【補正方法】変更
【補正の内容】
【００４９】
次にICコイン課金情報出力ユニット65（図２参照）を説明する。
ICコイン課金情報出力ユニット65は、ICコイン読込・書込ユニット37の正規の減算書込処理に基づいて課金情報を出力する機能を有している。
この機能を有していれば、ICコイン課金情報出力ユニット65は、論理回路又はプログラムにより構成することが出来る。
本実施例において、ICコイン課金情報出力ユニット65はマイクロプロセッサを用い、プログラムにより構成してある。
【手続補正３】
【補正対象書類名】明細書
【補正対象項目名】００９４
【補正方法】変更
【補正の内容】
【００９４】
次に図9から図11を参照して無線通信シーケンスを説明する。
この無線通信シーケンスは、前述のように記憶した子処理ユニット140の貨幣情報、バッテリ交換要求信号等(以下「貨幣情報」という)をホストコンピュータ162に送信する機能を有する。  
ホストコンピュータ162は、図３に示すように、内蔵するホストクロック166のクロック信号CSに基づいて所定周期T1において第1親処理ユニット156Aに所定幅の第1交信要求信号SR1を出力し、第1交信要求信号SR1から所定時間t1後、第2交信要求信号SR2を第2親処理ユニット156Bに出力する。
【手続補正４】
【補正対象書類名】明細書
【補正対象項目名】００９７
【補正方法】変更
【補正の内容】
【００９７】
また、第2交信要求信号ＳR2を受信した第2親処理ユニット156Bは、第1親処理ユニット156Aと同様に図９のフローチャートに基づいてゲーム機100-1から100-Ｎの子処理ユニット140と無線通信し、貨幣情報を子処理ユニット140から受信する。
【手続補正５】
【補正対象書類名】明細書
【補正対象項目名】０１０６
【補正方法】変更
【補正の内容】
【０１０６】
また、多数の子処理ユニット140が同時に通信プロセスにならないよう、子処理ユニット140毎に設けられたディップスイッチによりその基準信号、例えば図1３の第１親クロック159Aの基準タイミングSTから所定時間Δtずれるように設定されている。
詳述すれば、送信要求プロセスPRP1が終了した時点からt1+Δt時間経過後後述の子送信プロセスCSPを行うように設定されている。
【手続補正６】
【補正対象書類名】明細書
【補正対象項目名】０１０９
【補正方法】変更
【補正の内容】
【０１０９】
子処理ユニット140のMPU142は 子クロック149の子クロック信号CCLに基づいて図10に示す送信要求プロセスCRPを行う。
具体的には、ステップS41において、無線のチャンネルをCH1に設定し、ステップS42に進む。
ステップS42において、チャンネルCH1のチャンネル固定信号FFをチェックし、ステップS43に進む。
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
遊技に関する所定の制御を司る第１制御手段と、当該第１制御手段が送信するコマンドに応じて、第１制御対象及び第２制御対象に関する制御を司る第２制御手段とを備えた遊技機であって、
前記第１制御手段は、第１制御対象の制御に必要な第１制御情報と、第２制御対象の制御に必要な第２制御情報とから構成されるコマンドを、前記第２制御手段に対し送信できるよう構成されるとともに、
前記第１制御対象に対応した第１契機発生手段と、前記第２制御対象に対応した第２契機発生手段とを備え、
前記第１制御手段は、前記第１契機発生手段及び前記第２契機発生手段からの信号入力を監視する処理と、コマンド送信処理とを含む各種処理を、所定周期で繰り返し行う一連の定期処理として実行するよう構成され、
前記第１契機発生手段からの信号入力に基づき、前記第１制御対象に関する制御内容を決定できるよう構成され、
前記第２契機発生手段からの信号入力に基づき、前記第２制御対象に関する制御内容を決定できるよう構成され、
前記第１制御対象に関する制御内容に対応する前記第１制御情報と、前記第２制御対象に関する制御内容に対応する前記第２制御情報とを含んだ前記コマンドを送信できるよう構成されていることを特徴とする遊技機。
【請求項２】
前記第１制御手段は、前記第１制御情報と前記第２制御情報とから構成されるコマンドのコマンドデータを予め記憶するコマンドデータ記憶手段を備え、当該コマンドデータ記憶手段からコマンドデータを選出し、前記第２制御手段へコマンドとして送信するよう構成されていることを特徴とする請求項１に記載の遊技機。
【請求項３】
前記第１制御手段は、前記第１制御対象に対し送信すべき制御情報の有無及び制御内容を判別する第１判別処理と、前記第２制御対象に対し送信すべき制御情報の有無及び制御内容を判別する第２判別処理とを行い、
前記第１判別処理及び前記第２判別処理の判別結果に対応する制御情報を含んだコマンドデータを前記コマンドデータ記憶手段から選出するよう構成されるとともに、
前記第１制御手段は、前記第１判別処理を行うとともに、前記第１制御対象に対し送信すべき制御情報の有無及び制御内容を判別するための第１判別値を設定し、
前記第２判別処理を行うとともに、前記第２制御対象に対し送信すべき制御情報の有無及び制御内容を判別するための第２判別値を設定し、
前記第１判別値及び前記第２判別値を所定演算式に基づいて演算する演算処理を行い、当該演算処理により得られた演算値により、前記第１判別処理及び前記第２判別処理の判別結果に対応する制御情報を含んだコマンドデータが記憶されたコマンドデータ記憶手段内のアドレスを特定するよう構成されていることを特徴とする請求項１又は２に記載の遊技機。
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
遊技に関する所定の制御を司る第１制御手段と、当該第１制御手段が送信するコマンドに応じて、第１制御対象及び第２制御対象に関する制御を司る第２制御手段とを備えた遊技機であって、
前記第１制御手段は、第１制御対象の制御に必要な第１制御情報と、第２制御対象の制御に必要な第２制御情報とから構成されるコマンドを作成し、前記第２制御手段に対し送信できるよう構成されるとともに、
前記第１制御対象に対応した第１契機発生手段と、前記第２制御対象に対応した第２契機発生手段とを備え、
前記第１制御手段は、前記第１契機発生手段及び前記第２契機発生手段からの信号入力を監視する処理と、コマンド送信処理とを含む各種処理を、所定周期で繰り返し行う一連の定期処理として実行するよう構成され、
前記第１契機発生手段からの信号入力に基づき、前記第１制御対象に関する制御内容を決定できるよう構成され、
前記第２契機発生手段からの信号入力に基づき、前記第２制御対象に関する制御内容を決定できるよう構成され、
前記第１制御対象に関する制御内容に対応する前記第１制御情報と、前記第２制御対象に関する制御内容に対応する前記第２制御情報とを含んだ前記コマンドを作成できるよう構成されていることを特徴とする遊技機。
【請求項２】
前記第１制御手段は、前記第１制御対象に対し送信すべき制御情報の有無及び制御内容を判別する第１判別処理と、前記第２制御対象に対し送信すべき制御情報の有無及び制御内容を判別する第２判別処理とを行い、
前記第１判別処理及び前記第２判別処理の判別結果に対応する制御情報を、所定のコマンド作成領域に設定して、前記第１制御情報と前記第２制御情報とから構成されるコマンドを作成するよう構成されていることを特徴とする請求項１に記載の遊技機。
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
配列番号：１５５に示されるポリペプチド、又はそのアゴニスト又はアンタゴニストを、製薬的に許容される担体と混合して含んでなる組成物。
【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
静磁場発生手段と、傾斜磁場発生手段と、被検体に高周波信号を照射する高周波送信手段と、被検体からの磁気共鳴信号を検出する高周波受信手段と、この高周波受信手段により検出された検出信号により被検体の断層画像を得る画像再構成手段とを有し、上記高周波受信手段の形状は柔軟性を有している磁気共鳴イメージング装置において、
上記高周波受信手段の受信感度に影響を及ぼす方向への、上記高周波受信手段の変位を抑制する変位抑制手段を備えることを特徴とする磁気共鳴イメージング装置。
【請求項２】
請求項１記載の磁気共鳴イメージング装置において、上記変位抑制手段は、上記高周波受信手段の底部に形成される位置固定用部材と、被検体が配置される寝台に形成され、上記位置固定用部材が挿入されるガイド部材とを備えることを特徴とする磁気共鳴イメージング装置。
【請求項３】
請求項２記載の磁気共鳴イメージング装置において、上記磁気共鳴イメージング装置は、垂直磁場方式の磁気共鳴イメージング装置であり、上記変位抑制手段は、上記垂直方向に対して水平方向の、上記高周波受信手段の変位を抑制することを特徴とする磁気共鳴イメージング装置。
【請求項４】
請求項３記載の磁気共鳴イメージング装置において、上記高周波受信手段の左右対称形状調整用基準光を発生する基準光発生手段と、上記高周波受信手段の上部表面には、左右対称形状調整用基準線が表示され、上記基準光発生手段からの基準光と上記左右対称形状調整用基準線間の距離が、上記高周波受信手段の左右対称性を表すことを特徴とする磁気共鳴イメージング装置。
【請求項５】
請求項４記載の磁気共鳴イメージング装置において、上記変位抑制手段は、上記高周波受信手段の左右方向形状の変位を抑制する形状固定部材を上記高周波受信手段に固定するバンドを有することを特徴とする磁気共鳴イメージング装置。
【請求項６】
請求項３記載の磁気共鳴イメージング装置において、上記高周波受信手段の左側及び右側のそれぞれには、垂直方向を示す振り子が配置され、これら振り子の垂直方向からの角度が上記高周波受信手段の形状の左右対称性を表示することを特徴とする磁気共鳴イメージング装置。
【請求項７】
請求項３記載の磁気共鳴イメージング装置において、上記位置固定用部材の左右上面のそれぞれには、上記高周波受信手段の側面から加えられる圧力を計測する圧力計が配置され、これら圧力計が示す圧力値の差が上記高周波受信手段の形状の対称性を表すことを特徴とする磁気共鳴イメージング装置。
【請求項８】
請求項４記載の磁気共鳴イメージング装置において、上記左右対称形状調整用基準線上に配置される透過窓を備え、上記高周波受信手段の内面側底部には、形状調整用中心線が表示され、上記基準光発生手段からの基準光が、上記透過窓を通過し、上記形状調整用中心線を照射するか否かが、上記高周波受信手段の形状の左右対称性を表すことを特徴とする磁気共鳴イメージング装置。
【請求項９】
請求項３記載の磁気共鳴イメージング装置において、上記変位抑制手段は、上記高周波受信手段が左右対称形状であるときの内面形状と同等の形状を有し、上記高周波受信手段の内面と被検体との間に配置される形状固定用治具を有することを特徴とする磁気共鳴イメージング装置。
【手続補正２】
【補正対象書類名】明細書
【補正対象項目名】００１２
【補正方法】変更
【補正の内容】
【００１２】
上記目的を達成するため、本発明は次のように構成される。
（１）静磁場発生手段と、傾斜磁場発生手段と、被検体に高周波信号を照射する高周波送信手段と、被検体からの磁気共鳴信号を検出する高周波受信手段と、この高周波受信手段により検出された検出信号により被検体の断層画像を得る画像再構成手段とを有し、上記高周波受信手段（１４）の形状は柔軟性を有している磁気共鳴イメージング装置において、上記高周波受信手段の受信感度に影響を及ぼす方向への、上記高周波受信手段の変位を抑制する変位抑制手段（４２ａ、４２ｂ、４９、５０、５７）を備える。
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
直流電圧を受電する集電装置に接続された第一のフィルタ回路、第一のフィルタ回路を介して前記集電装置によって集電した直流電圧を電圧源として直流を交流に変換し交流電動機を駆動するインバータ装置からなる鉄道車両用電力変換装置において、
前記直流電圧の電源となる交流電源の電源周波数に対する入力インピーダンスを増加する第二のフィルタを前記第一のフィルタと並列に接続したことを特徴とする鉄道車両用電力変換装置。
【請求項２】
請求項１において、前記第一のフィルタは、第一のリアクトルと第一のコンデンサからなり、前記第一のリアクトルの一端と前記集電装置を接続し、前記第一のリアクトルの他端と前記第一のコンデンサの正側を接続し、前記第一のコンデンサの負側をアース側に接続し、前記第一のコンデンサの両端電圧をインバータの直流電圧源とすることを特徴とする鉄道車両用電力変換装置。
【請求項３】
請求項１又は２のいずれかにおいて、前記第二のフィルタは、第二のリアクトルと第二のコンデンサとの直列接続回路を基本とし、用途に応じて該回路を更に抵抗器を直列接続してなることを特徴とする電力変換装置。
【請求項４】
請求項１〜３のいずれかにおいて、前記第一のフィルタ回路と前記第二のフィルタ回路で形成される共振回路の共振周波数を前記交流電源の電源周波数に一致させたことを特徴とする鉄道車両用電力変換装置。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
培養処理対象の細胞組織から第１の細胞組織を採取する第１の採取工程と、
前記第１の細胞組織の遺伝子情報である第１の細胞組織情報を得る第１の検査工程と、
前記培養処理対象の細胞組織を培養処理する細胞処理工程と、
前記培養処理後の細胞組織から第２の細胞組織を採取する第２の採取工程と、
前記第２の細胞組織の遺伝子情報である第２の細胞組織情報を得る第２の検査工程と、
前記第１の細胞組織情報と前記第２の細胞組織情報とを照合し、細胞組織の一致の有無を検出する情報照合工程と、
を有することを特徴とする細胞組織培養管理方法。
【請求項２】
培養処理対象の細胞組織の入荷から培養処理後の出荷に至る間の少なくとも１つの工程からなって前記細胞組織を培養処理する細胞処理工程を管理する細胞組織培養管理システムであって、
前記培養処理対象の細胞組織から遺伝子情報である第１の細胞組織情報を解析する第１の遺伝子情報解析部と、
前記第１の細胞組織の培養処理後の細胞組織から遺伝子情報である第２の細胞組織情報を解析する第２の遺伝子情報解析部と、
前記第１の細胞組織情報と前記第２の細胞組織情報とを照合して一致の有無を検出する情報照合部と、
を具備することを特徴とする細胞組織培養管理システム。
【請求項３】
前記培養処理対象の細胞組織に認識番号を付与する認識番号設定部と、
前記第１の細胞組織情報が前記認識番号に対応付けて記憶される前記情報記憶部と、
前記第２の細胞組織情報と前記第１の細胞組織情報とを照合して一致の有無を検出する情報照合部と、
を具備することを特徴とする請求項２に記載の細胞組織培養管理システム。
【請求項４】
前記情報照合部による一致の有無を表示して外部へ通知する構成、
を具備することを特徴とする請求項２に記載の細胞組織培養管理システム。
【請求項５】
前記認識番号設定部によって付与される認識番号と、前記第１の遺伝子情報解析部から得た解析結果と、前記第２の遺伝子情報解析部から得た解析結果とを前記情報照合部へ有線または無線で送信する通信部と、
を具備することを特徴とする請求項２ないし請求項４のいずれか１項に記載の細胞組織培養管理システム。
【手続補正書】
【提出日】平成19年2月22日(2007.2.22)
【手続補正１】
【補正対象書類名】明細書
【補正対象項目名】０１８３
【補正方法】変更
【補正の内容】
【０１８３】
（３）ＲＮＡ可溶化試薬及び洗浄液の調製
以下に示す処方でＲＮＡ可溶化試薬及び洗浄液を調製する。
（ＲＮＡ可溶化試薬の処方）
塩酸グアニジン（ライフテクノロジー社製） ３８２ｇ
Ｔｒｉｓ（ライフテクノロジー社製） １２．１ｇ
TritonX-100（ＩＣＮ製） １０ｇ
蒸留水 １０００ｍｌ
（洗浄液の処方）
１０ｍＭ Ｔｒｉｓ−ＨＣｌ ３０％エタノール